(57)【要約】【課題】容易に表示器の視野角を変更する。【解決手段】表示器の前面に配置される透過板が、内面に凸凹加工を施した空洞部を有する薄板状の形状であり、当該透過板の内の前記空洞部に当該透過板を構成する素材と同じ屈折率の液体を充填、若しくは排出する事で前記表示部の視野角を変更する。前記内面の前記凸凹加工を、前記表示器側、前記表示器と反対側、の何れか若しくはその両方に施すようにしてもよい。前記内面の前記凸凹加工の方向を任意に設定するようにしてもよい。【選択図】図１
2010079195.tif 000002
【特許請求の範囲】
【請求項１】
表示器の前面に配置される透過板であって、当該透過板は、内面に凸凹加工を施した空洞部を有する薄板状の形状であり、当該透過板の内の前記空洞部に当該透過板を構成する素材と同じ屈折率の液体を充填、若しくは排出する事で前記表示部の視野角を変更することを特徴とする透過板。
【請求項２】
請求項１に記載の透過板において、前記内面の前記凸凹加工を、前記表示器側、前記表示器と反対側、の何れか若しくはその両方に施したことを特徴とする透過板。
【請求項３】
請求項１又は２に記載の透過板において、前記内面の前記凸凹加工の方向を任意に設定することを特徴とする透過板。
【請求項４】
請求項１乃至３何れか１項に記載の透過板において前記凸凹加工の面のうち、視野角を狭くする際に利用する面の方向を利用者の視線方向に一致させた事を特徴とする透過板。
【請求項５】
請求項１乃至４何れか１項に記載の透過板において、当該透過板が、当該透過板及び前記表示器を有する表示装置の表面に組み込まれていることを特徴とする透過板。
【請求項６】
表示器の前面に配置される透過板において、当該透過板は、２枚分離構造であり、互いに向かい合う面に重ね合わせると一致する形状の凸凹加工を施されており、分離、若しくは重ね合わせることで視野角を変更することを特徴とする透過板。
【請求項７】
請求項１乃至６何れか１項に記載の透過板において、当該透過板の外面に反射防止膜を施す事で、透過板配置に伴う透過率低減を最小限にしたことを特徴とする透過板。
【請求項８】
請求項１乃至５の何れか１項に記載の透過板と、前記液体の給排液用のポンプと、前記排液時の前記液体保管用としてのタンクと、を備え密閉構造とされていることを特徴とする視野角変更装置。
【請求項９】
表示器の前面に配置される透過板における視野角変更方法であって、前記透過板は、内面に凸凹加工を施した空洞部を有する薄板状の形状であり、前記透過板の内の前記空洞部に前記透過板を構成する素材と同じ屈折率の液体を充填、若しくは排出する事で前記表示部の視野角を変更することを特徴とする視野角変更方法。
【請求項１０】
請求項９に記載の視野角変更方法において、前記内面の前記凸凹加工を、前記表示器側、前記表示器と反対側、の何れか若しくはその両方に施したことを特徴とする視野角変更方法。
【請求項１１】
請求項９又は１０に記載の視野角変更方法において、前記内面の前記凸凹加工の方向を任意に設定することを特徴とする視野角変更方法。
【請求項１２】
請求項９乃至１１何れか１項に記載の視野角変更方法において前記凸凹加工の面のうち、視野角を狭くする際に利用する面の方向を利用者の視線方向に一致させた事を特徴とする視野角変更方法。
【請求項１３】
請求項９乃至１２何れか１項に記載の視野角変更方法において、前記透過板が、前記透過板及び前記表示器を有する表示装置の表面に組み込まれていることを特徴とする視野角変更方法。
【請求項１４】
表示器の前面に配置される透過板における視野角変更方法であって、前記透過板は、２枚分離構造であり、互いに向かい合う面に重ね合わせると一致する形状の凸凹加工を施されており、前記透過板を分離、若しくは重ね合わせることで視野角を変更することを特徴とする視野角変更方法。
【請求項１５】
請求項９乃至１４何れか１項に記載の視野角変更方法において、前記透過板の外面に反射防止膜を施す事で、透過板配置に伴う透過率低減を最小限にしたことを特徴とする視野角変更方法。
【請求項１６】
表示器の前面に配置される透過板と、前記液体の給排液用のポンプと、前記排液時の前記液体保管用としてのタンクと、を備え、密閉構造とされている視野角変更装置における視野角変更方法であって、前記ポンプを用いることにより請求項９乃至１３の何れか１項に記載の前記各動作を行うことを特徴とする視野角変更方法。
【発明の詳細な説明】
【技術分野】
【０００１】
本発明は、表示器の視野角の変更に関する。
【背景技術】
【０００２】
近年、プライバシー保護等の観点から、パーソナルコンピュータのディスプレイや、例えば携帯電話といった、携帯端末のディスプレイの覗き見を防止したいという要請がある。また、犯罪防止の観点から、自動取引装置等の覗き見を防止する必要もある。ここで、自動取引装置としては、銀行のＡＴＭ（Automated Teller Machine）が例示できる。
【０００３】
上述のような要請に応えるべく、現在「プライバシーフィルタ」等の商品名で、視野角を変更し、覗き見を防止する光学フィルタが広く流通している。
【０００４】
もっとも、これらの光学フィルタは、光学フィルタを液晶ディスプレイの表示画面前面に貼り付けていたので、光学フィルタが外部に露出し、光学フィルタの表面に汚れが付着して、光学フィルタの覗き見防止効果が低下するおそれがある。また、光学フィルタの表面が傷付き易く、光学フィルタを液晶ディスプレイの表示画面前面から取外すことが困難であった。
【０００５】
そこで、この課題を解決するべくディスプレイの操作画面から光学フィルタの取外しを簡単に行うことが可能な技術がある（例えば特許文献１参照）。特許文献１に記載の技術を用いることにより、光学フィルタのディスプレイへの取付け作業及び取り外し作業を容易に行うことが可能となる。
【特許文献１】特開２００７−０６５９５５号公報
【発明の開示】
【発明が解決しようとする課題】
【０００６】
上述したような技術を用いることにより表示装置の視野角を変更することができ、覗き見を防止できる等のメリットがある。
【０００７】
しかし、通常時は視野角を狭くしていても、場合によっては大勢で画面を閲覧したい等の理由で視野角度を広くしたい、といった状況が考えられる。この場合、上述のように視野角を狭くすることが逆に弊害になっていた。光学フィルタをディスプレイの表示画面前面に貼り付けている場合は容易に脱着することは困難であり、また、特許文献１に記載の技術等を用いてもユーザのニーズに合わせてすぐに視野角を変更出来るわけではない。
【０００８】
そこで、本発明は容易に表示器の視野角の変更が可能な、表示器の視野角変更装置及び表示器の視野角変更方法を提供することを目的とする。
【課題を解決するための手段】
【０００９】
本発明の第１の観点によれば、表示器の前面に配置される透過板であって、当該透過板は、内面に凸凹加工を施した空洞部を有する薄板状の形状であり、当該透過板の内の前記空洞部に当該透過板を構成する素材と同じ屈折率の液体を充填、若しくは排出する事で前記表示部の視野角を変更することを特徴とする透過板が提供される。
【００１０】
本発明の第２の観点によれば、前記第１の観点により提供される前記透過板と、前記液体の給排液用のポンプと、前記排液時の前記液体保管用としてタンクと、を備え密閉構造とされていることを特徴とする視野角変更装置が提供される。
【００１１】
本発明の第３の観点によれば、表示器の前面に配置される透過板における視野角変更方法であって、前記透過板は、内面に凸凹加工を施した空洞部を有する薄板状の形状であり、前記透過板の内の前記空洞部に前記透過板を構成する素材と同じ屈折率の液体を充填、若しくは排出する事で前記表示部の視野角を変更することを特徴とする視野角変更方法が提供される。
【発明の効果】
【００１２】
本発明によれば、容易に表示器の視野角の変更を行うことが可能となる。
【発明を実施するための最良の形態】
【００１３】
本発明は、表示器の視野角を変更する手段として光の屈折率を利用する点を特徴とするものである。以下図面を用いて詳細に説明する。
【００１４】
図１及び図２に本発明の実施形態の一例として携帯端末の表示部に本発明を適用する場合を示す。
【００１５】
図１の左側に本実施形態である携帯端末１０を示す。携帯端末１０は例えば携帯電話やＰＨＳ（Personal Handy-phone System）等の、表示部を有する携帯端末である。携帯端末１０は表示部２０を有している。表示部２０は、表示器２１及び透過板２２を有している。透過板２２は、表示部２０の前面に配置されており、透過板２２の後に表示器２１が配置されている。
【００１６】
表示器２１は液晶や有機エレクトロルミネッセンス等といった表示装置である。透過板２２は、表示器２１の視野角を変更するために利用される。
【００１７】
次に、透過板２２の構造について説明する。図１の右側に示す破線部分で切断した場合の透過板２２の透過板断面２３を図２に示す。
【００１８】
透過板２２の透過板断面２３には空洞２４が設けられている。また、図２の例では空洞２４の片側に凸凹加工が施されている。なお、図２の例では表示部２０を正面から見た場合の奥側（表示器２１側）に凹凸加工が施されているが、表示部２０を正面から見た場合の手前側に凹凸加工を施しても良く、また両側に凹凸加工を施しても良い。
【００１９】
この空洞２４が有ることにより透過板１２の屈折率は、空洞２４が無い状態と異なる（図２のａ−１参照）。一方、この空洞２４に透過板１２と同じ屈折率の液体２５を充填した場合、光学的には空洞２４が無い状態と同等になる（図２のａ−２参照）。この点について図３を用いて説明する。
【００２０】
図３に液体２５の有無での光の透過の違いを示す。液体２５が無い場合（図３のｂ−１参照）、正面から見た場合表示部の像は正常に見えるが、斜めから見た場合、空洞２４の凸凹の影響で表示部の像が正常に見えない。一方、液体２５が充填された場合（図３のｂ−２参照）、正面から見た場合は勿論のこと、斜めから見た場合も表示部の像は正常に見える。
【００２１】
以上説明した通り本発明によれば透過板内の液体２５の有無により簡易に視野角の変更が可能となる。
【００２２】
次に、上述の実施形態の変更例について図４を参照して説明する。図４に示すように、上述した透過板２２の凸凹加工の面のうち、視野角を狭くする際に利用する面の方向を利用者の視線方向に一致させる。このように加工することで、より適切に利用者以外の人間の視線から表示器２１の表示を遮ることができる。
【００２３】
更に、他の変形例について説明する。図５に示すように透過板２２の外面に反射防止膜を施す。これにより、透過板２２配置に伴う透過率低減を最小限にすることができる。
【００２４】
上記の各実施形態に加えて、液体２５の給排液用のポンプ４０と、排液時の液体保管用としてタンク５０を有する。また、透過板２２、ポンプ４０及びタンク５０は密閉構造となっている。そして、ポンプ４０を動作させることにより液体２５を調整することができる。
【００２５】
更に他の変形例について図７を参照して説明する。本変形例では、図４に示す様に、透過板２２を２枚分離構造とし互いに向かい合う面に重ね合わせると一致する形状の凸凹加工を施す。そして、２枚分離構造とした透過板２２を、分離、若しくは重ね合わせる事で視野角の変更が可能となる。具体的には、分離させた場合（図７のｃ−１参照）は、空間２７が生じることとなり斜めから見た場合、空間２７の凸凹の影響で表示部の像が正常に見えない。一方重ね合わせた場合（図７のｃ−２参照）は、正面から見た場合は勿論のこと、斜めから見た場合も表示部の像は正常に見える。なお、この手段を用いる場合は、液体２５の取扱いが不要になる。
【００２６】
なお、本発明の各実施形態では、表示器２０として多様な表示装置を用いることができる。例えば、一般的なＣＲＴ（Cathode Ray Tube）、液晶、プラズマ及び有機ＥＬ等、種類、サイズを問わず適用が可能なものである。
【図面の簡単な説明】
【００２７】
【図１】本発明の実施形態の基本的構成を表す図である。
【図２】本発明の実施形態の透過板動作状態を表す図である。
【図３】本発明の実施形態において視野角が変更されることについて説明する図である。
【図４】本発明の実施形態の変更例の構造について示す図である。
【図５】本発明の実施形態の変更例として反射防止膜処理面を付加する構造について示す図である。
【図６】本発明の実施形態の変更例の構造について示す図である。
【図７】本発明の実施形態の変更例の構造について示す図である。
【符号の説明】
【００２８】
１０  携帯端末
２０  表示部
２１  表示器
２２  透過板
２３  透過板断面
２４  空洞
２５  液体
２６  内面の凹凸加工
４０  ポンプ
５０  タンク
５１  液面
【図１】
2010079195.tif 000003
【図２】
2010079195.tif 000004
【図３】
2010079195.tif 000005
【図４】
2010079195.tif 000006
【図５】
2010079195.tif 000007
【図６】
2010079195.tif 000008
【図７】
2010079195.tif 000009